(57)【要約】【課題】従来、複数の記録条件それぞれでの光ディスクの各記録層に対する光の最適パワーを決定すると、情報記録領域が狭まる。【解決手段】光ディスクへ照射される光の最適パワー決定方法は、一方の面に複数の記録層を有する光ディスクの各記録層について、各記録層において互いに重なる領域を複数の区分に仮想的に分割する分割ステップ（Ｓ２）と、光を用いて各記録層に情報を記録する場合の複数の記録条件それぞれでの各記録層に対する光の最適パワーを、複数の区分を利用して記録条件毎に決定するパワー決定ステップ（Ｓ３）とを含み、分割ステップ（Ｓ２）では、各記録層において互いに対応する区分が光ディスクの厚み方向において重なるように、領域を複数の区分に仮想的に分割する。【選択図】図４
2010211896.tif 000002
【特許請求の範囲】
【請求項１】
一方の面に複数の記録層を有する光ディスクの各前記記録層について、各前記記録層において互いに重なる領域を複数の区分に仮想的に分割する分割ステップと、
光を用いて各前記記録層に情報を記録する場合の複数の記録条件それぞれでの各前記記録層に対する光の最適パワーを、複数の前記区分を利用して記録条件毎に決定するパワー決定ステップとを含み、
前記分割ステップでは、各前記記録層において互いに対応する区分が前記光ディスクの厚み方向において重なる部分を持つように、前記領域を複数の区分に仮想的に分割する
光ディスクへ照射される光の最適パワー決定方法。
【請求項２】
前記領域は、各前記記録層の第１の長さを半径とする第１の円弧と前記第１の長さより長い第２の長さを半径とする第２の円弧とで挟まれる領域であり、
前記分割ステップでは、前記領域を円周方向に複数の区分に仮想的に分割する
請求項１に記載の光ディスクへ照射される光の最適パワー決定方法。
【請求項３】
前記光ディスクは、複数の前記記録層の何れかに符号により記録された固有情報を有し、
各前記記録層の複数の位置のそれぞれには、基準の位置からの距離に応じて位置情報を示すアドレスが割り当てられており、
前記分割ステップでは、前記符号と各前記記録層の各位置に割り当てられているアドレスとを利用して、各前記記録層において互いに対応する区分が前記厚み方向において重なる部分を持つように、各前記記録層の前記領域を複数の区分に仮想的に分割する
請求項１に記載の光ディスクへ照射される光の最適パワー決定方法。
【請求項４】
各前記記録層の複数の位置のそれぞれには、基準の位置からの距離に応じて位置情報を示すアドレスが割り当てられており、
前記分割ステップでは、何れかの前記記録層の一の位置に割り当てられているアドレスと各前記記録層の各位置に割り当てられているアドレスとを利用して、各前記記録層において互いに対応する区分が前記厚み方向において重なる部分を持つように、各前記記録層の前記領域を複数の区分に仮想的に分割する
請求項１に記載の光ディスクへ照射される光の最適パワー決定方法。
【請求項５】
更に、前記光ディスクの複数の前記記録層の何れかに、各前記記録層の前記領域を複数の区分に仮想的に分割する際の基準となる符号を記録する符号記録ステップを含み、
各前記記録層の複数の位置のそれぞれには、基準の位置からの距離に応じて位置情報を示すアドレスが割り当てられており、
前記分割ステップでは、前記符号と各前記記録層の各位置に割り当てられているアドレスとを利用して、各前記記録層において互いに対応する区分が前記厚み方向において重なる部分を持つように、各前記記録層の前記領域を複数の区分に仮想的に分割する
請求項１に記載の光ディスクへ照射される光の最適パワー決定方法。
【請求項６】
一方の面に複数の記録層を有する光ディスクの各前記記録層について、各前記記録層において互いに重なる領域を複数の区分に仮想的に分割する分割部と、
光を用いて各前記記録層に情報を記録する場合の複数の記録条件それぞれでの各前記記録層に対する光の最適パワーを、複数の前記区分を利用して記録条件毎に決定するパワー決定部とを備え、
前記分割部は、各前記記録層において互いに対応する区分が前記光ディスクの厚み方向において重なる部分を持つように、前記領域を複数の区分に仮想的に分割する
光ディスク装置。
【請求項７】
中心部に孔が設けられている円板と、
前記円板の一方の面に積層された、中心部に孔が設けられている複数の記録層とを備え、
各前記記録層の複数の位置のそれぞれには、基準の位置からの距離に応じて位置情報を示すアドレスが割り当てられており、
一の前記記録層の第１の位置に割り当てられている第１のアドレスと第２の位置に割り当てられている第２のアドレスとから算出される第１の距離は、他の前記記録層の前記記録層の積層方向において前記第１の位置と重なる第３の位置に割り当てられている第３のアドレスと前記積層方向において前記第２の位置と重なる第４の位置に割り当てられている第４のアドレスとから算出される第２の距離と等しい
光ディスク。
【請求項８】
中心部に孔が設けられている円板と、
前記円板の一方の面に積層された、中心部に孔が設けられている複数の記録層とを備え、
各前記記録層の複数の位置のそれぞれには、基準の位置からの距離に応じて位置情報を示すアドレスが割り当てられており、
各前記記録層は、外周部の前記基準の位置から所定の距離に位置する部位にマークを有しており、前記マークが重なるように積層されている
光ディスク。
【請求項９】
前記マークは、前記記録層の情報記録領域における溝より深い溝である
請求項８に記載の光ディスク。
【請求項１０】
中心部に孔が設けられていて複数の位置それぞれに基準の位置からの距離に応じて位置情報を示すアドレスが割り当てられている記録層の外周部における、前記基準の位置から所定の距離に位置する部位にマークを形成するマーク形成ステップと、
複数の前記記録層を、前記マークが重なるように、中心部に孔が設けられている円板の一方の面に積層する積層ステップとを含む
光ディスクの製造方法。
【請求項１１】
前記マーク形成ステップでは、前記記録層の情報記録領域における溝より深い溝を前記マークとして形成する
請求項１０に記載の光ディスクの製造方法。
【発明の詳細な説明】
【技術分野】
【０００１】
本発明は、複数の記録層を有する光ディスクに関する。
【背景技術】
【０００２】
現在、動画や静止画等のディジタル情報を記録することができる様々な光ディスクが市販されている。ディジタル多用途光ディスク（ＤＶＤ：Digital Versatile Disk）としては、ＤＶＤ−Ｒ、ＤＶＤ−ＲＷ、ＤＶＤ＋Ｒ、ＤＶＤ＋ＲＷ、及びＤＶＤ-ＲＡＭが市販されており、青色レーザに対応したBlu-ray Discとしては、ＢＤ−Ｒ、及びＢＤ-ＲＥが市販されている。
【０００３】
インターネットやディジタルカメラ等の普及により、光ディスクに記録されるディジタル情報は急激に増加してきており、光ディスクの記憶容量の大規模化が要求されている。その要求に応えるべく、片面側に２個の記録層が積層された光ディスク（以下、「片面２層構造光ディスク」という。）が商品化されている。以下の説明では、片面２層構造光ディスクの下層の記録層を第１記録層と呼び、上層の記録層を第２記録層と呼ぶ。すなわち、第１記録層は光ヘッドから遠い側の記録層であり、第２記録層は光ヘッドに近い側の記録層である。
【０００４】
レーザ光を用いて光ディスクにディジタル情報を記録する場合、記録に先立ってレーザ光の最適パワー値を決定する必要がある。ところで、光ディスクが片面２層構造光ディスクである場合、光ヘッドに近い側の第２記録層にディジタル情報を記録すると、レーザ光が照射されることにより第２記録層は化学的に変化し、第２記録層におけるレーザ光の透過率がディジタル情報の記録の前後で変化する。その変化は、光ヘッドから遠い側の第１記録層にディジタル情報を記録する際のレーザ光のパワーに影響を与える。
【０００５】
そこで、レーザ光を用いて片面２層構造光ディスクの情報記録領域にディジタル情報を記録する前に、第２記録層にディジタル情報が記録された状態で第１記録層にディジタル情報を記録する際のレーザ光の最適パワーを決定する。また、第１記録層にも第２記録層にもディジタル情報が記録されていない状態で第１記録層及び第２記録層それぞれにディジタル情報を記録する際のレーザ光の最適パワーを決定する。
【０００６】
具体的には従来は、ディジタル情報を情報記録領域に記録する前に、図１２に示すように、片面２層構造光ディスクの内周部にテスト領域として、半径をずらして互いに重ならないリング状のＰＣＡ (Power Calibration Area) １０１とＰＣＡ１０２とを設定するとともに、外周部にもテスト領域としてリング状のＰＣＡ１０３を設定し、以下に示すように最適パワーを決定する。すなわち、外周部のＰＣＡ１０３において、先ず第２記録層にダミーデータを記録し、ダミーデータが第２記録層に記録されている状態で第１記録層にディジタル情報を記録する際のレーザ光の最適パワーを決定する。また、内周部のＰＣＡ１０１において、第１記録層にも第２記録層にもディジタル情報が記録されていない状態で第１記録層にディジタル情報を記録する際のレーザ光の最適パワーを決定する。同様に、内周部のＰＣＡ１０２において、第１記録層にも第２記録層にもディジタル情報が記録されていない状態で、第２記録層にディジタル情報を記録する際のレーザ光の最適パワーを決定する（例えば、特許文献１参照）。
【先行技術文献】
【特許文献】
【０００７】
【特許文献１】国際公開第２００６／０３５７２１号
【特許文献２】特開２００８−１９２２５８号公報
【非特許文献】
【０００８】
【非特許文献１】White paper Blu-ray Disc  www.blu-raydisc.com  ２００６年
【発明の概要】
【発明が解決しようとする課題】
【０００９】
光ディスクの記憶容量は更なる大規模化が要求されており、片面側に３個以上の記録層が積層された光ディスク（以下、「片面多層構造光ディスク」という。）が提案されている。片面多層構造光ディスクについても、各記録層にディジタル情報が記録されているか否かや記録速度等の条件（以下、「記録条件」という。）に応じて各記録層にディジタル情報を記録する際の最適パワーを決定する必要がある。
【００１０】
しかしながら、記録層が増えると、記録条件も増える。したがって、図１２を用いて説明した方法によって記録条件毎にリング状のＰＣＡを設定して記録条件毎の最適パワーを決定しようとすると、ＰＣＡの数が多くなり、情報記録領域が狭くなる。そのため、その方法では、記録層を増やして記憶容量を大規模化しようとしたのにもかかわらず、情報記録領域が狭くなることにより、当初の目的を十分に達成することができない。なお、記録条件には、ディジタル情報を記録する際の線速度ごとの条件も含まれる。
【００１１】
本発明は、情報記録領域を狭めることなく複数の記録条件それぞれでの各記録層に対する光の最適パワーを決定する、光ディスクへ照射される光の最適パワー決定方法、及び光ディスク装置を提供することを目的とする。また、本発明は、情報記録領域を狭めることなく複数の記録条件それぞれでの各記録層に対する光の最適パワーの決定を容易に行わせる光ディスクと、そのような光ディスクの製造方法とを提供することを目的とする。
【課題を解決するための手段】
【００１２】
上記課題を解決し上記目的を達成するために、本発明の光ディスクへ照射される光の最適パワー決定方法は、一方の面に複数の記録層を有する光ディスクの各前記記録層について、各前記記録層において互いに重なる領域を複数の区分に仮想的に分割する分割ステップと、光を用いて各前記記録層に情報を記録する場合の複数の記録条件それぞれでの各前記記録層に対する光の最適パワーを、複数の前記区分を利用して記録条件毎に決定するパワー決定ステップとを含み、前記分割ステップでは、各前記記録層において互いに対応する区分が前記光ディスクの厚み方向において重なる部分を持つように、前記領域を複数の区分に仮想的に分割する。
【００１３】
本発明の光ディスク装置は、一方の面に複数の記録層を有する光ディスクの各前記記録層について、各前記記録層において互いに重なる領域を複数の区分に仮想的に分割する分割部と、光を用いて各前記記録層に情報を記録する場合の複数の記録条件それぞれでの各前記記録層に対する光の最適パワーを、複数の前記区分を利用して記録条件毎に決定するパワー決定部とを備え、前記分割部は、各前記記録層において互いに対応する区分が前記光ディスクの厚み方向において重なる部分を持つように、前記領域を複数の区分に仮想的に分割する。
【００１４】
本発明の光ディスクは、中心部に孔が設けられている円板と、前記円板の一方の面に積層された、中心部に孔が設けられている複数の記録層とを備え、各前記記録層の複数の位置のそれぞれには、基準の位置からの距離に応じて位置情報を示すアドレスが割り当てられており、一の前記記録層の第１の位置に割り当てられている第１のアドレスと第２の位置に割り当てられている第２のアドレスとから算出される第１の距離は、他の前記記録層の前記記録層の積層方向において前記第１の位置と重なる第３の位置に割り当てられている第３のアドレスと前記積層方向において前記第２の位置と重なる第４の位置に割り当てられている第４のアドレスとから算出される第２の距離と等しい。
【００１５】
本発明の光ディスクは、中心部に孔が設けられている円板と、前記円板の一方の面に積層された、中心部に孔が設けられている複数の記録層とを備え、各前記記録層の複数の位置のそれぞれには、基準の位置からの距離に応じて位置情報を示すアドレスが割り当てられており、各前記記録層は、外周部の前記基準の位置から所定の距離に位置する部位にマークを有しており、前記マークが重なるように積層されている。
【００１６】
本発明の光ディスクの製造方法は、中心部に孔が設けられていて複数の位置それぞれに基準の位置からの距離に応じて位置情報を示すアドレスが割り当てられている記録層の外周部における、前記基準の位置から所定の距離に位置する部位にマークを形成するマーク形成ステップと、複数の前記記録層を、前記マークが重なるように、中心部に孔が設けられている円板の一方の面に積層する積層ステップとを含む。
【発明の効果】
【００１７】
本発明は、情報記録領域を狭めることなく複数の記録条件それぞれでの各記録層に対する光の最適パワーを決定する、光ディスクへ照射される光の最適パワー決定方法、及び光ディスク装置を提供することができる。また、本発明は、情報記録領域を狭めることなく複数の記録条件それぞれでの各記録層に対する光の最適パワーの決定を容易に行わせる光ディスクと、そのような光ディスクの製造方法とを提供することができる。
【図面の簡単な説明】
【００１８】
【図１】実施の形態１の光ディスク装置の構成図である。
【図２】実施の形態１の光ディスクの斜視図である。
【図３】実施の形態１の光ディスクの表面図である。
【図４】実施の形態１の光ディスク装置の動作の各ステップを示すフローチャートである。
【図５】実施の形態１の記録条件の一例を示す図である。
【図６】実施の形態１の記録条件の他の例を示す図である。
【図７】実施の形態２の光ディスクの製造方法を説明するための図である。
【図８】実施の形態２の光ディスクの製造装置の概観を示す図である。
【図９】実施の形態２の光ディスクの各記録層の外周部に形成されるマークを特定する図である。
【図１０】実施の形態２の光ディスクの分解斜視図である。
【図１１】実施の形態２の光ディスクのマークを説明するための図である。
【図１２】従来の光の最適パワーを決定する方法を説明するための図である。
【発明を実施するための形態】
【００１９】
以下に、本発明を実施するための形態を図面を参照して説明する。
【００２０】
（実施の形態１）
先ず、実施の形態１の光ディスク装置１００の構成を図１を用いて説明する。
【００２１】
図１は、実施の形態１の光ディスク装置１００の構成図である。光ディスク装置１００は、複数の記録層を有する光ディスクＡにディジタル情報を記録する装置であって、図１に示すように、光処理部１と、条件取得部２と、分割部３と、最適パワー決定部４と、メモリ５と、データ取得部６と、記録制御部７とを有する。
【００２２】
光処理部１は、光ディスクＡに対して光を照射し、光ディスクＡからの反射光を検知する構成部であって、光ヘッド等を有する。
【００２３】
条件取得部２は、光ディスクＡから分割条件及び記録条件を取得してメモリ５に格納する。分割条件は、後述する領域を分割する際の条件であって、領域を特定する情報と、幾つの区分に分割するのかを特定する情報とを含む。領域を特定する情報は、例えば、領域が第１の長さを半径とする第１の円と第１の長さより長い第２の長さを半径とする第２の円とで挟まれる領域である場合、第１の長さ及び第２の長さを特定する情報である。記録条件は、光ディスクＡを構成する各記録層にディジタル情報が記録されているか否かや記録時の線速度等に応じて特定される記録時の条件である。例えば、光ディスクＡが一方の面に３個の記録層を有する光ディスクである場合、記録条件は、最上層のみにディジタル情報が記録されている状態で最下層に基本的な線速度でディジタル情報を記録する際の光処理部１が照射する光の最適パワーを決定させる条件である。
【００２４】
分割部３は、分割条件にしたがって、光ディスクＡを構成する各記録層について、各記録層において互いに重なる領域を複数の区分に仮想的に分割し、各区分の位置情報をメモリ５に格納する。分割部３は、各記録層の領域を複数の区分に仮想的に分割する際、各記録層において互いに対応する区分が光ディスクＡの厚み方向において重なるように、領域を複数の区分に仮想的に分割する。ここで、実施の形態１における領域は、各記録層の外周部における、第１の長さを半径とする第１の円と第１の長さより長い第２の長さを半径とする第２の円とで挟まれる領域であって、分割部３は、その領域を円周方向に２４個の区分に仮想的に分割する。領域及び区分については、図３を用いて後述する。
【００２５】
最適パワー決定部４は、分割部３によって得られた各区分の位置情報と記録条件とにしたがって、光を用いて光ディスクＡの各記録層にディジタル情報を記録する場合の複数の記録条件それぞれでの各記録層に対する光の最適パワーを、複数の区分を利用して記録条件毎に決定し、決定した値をメモリ５に格納する。
【００２６】
メモリ５は、各種の情報を保持する。データ取得部６は、光ディスクＡの各記録層の情報記録領域に記録されるデータを光ディスク装置１００の外部から取得する。記録制御部７は、記録条件毎の光の最適パワーの値にしたがって、データ取得部６によって取得されたデータを光処理部１により光ディスクＡの各記録層に記録させる。
【００２７】
実施の形態１の光ディスクＡはディジタル情報が記録される記録媒体であって、中心部に孔が設けられている円板（基板）と、円板（基板）の一方の面に積層された、中心部に孔が設けられている複数の記録層とを有する。実施の形態１の光ディスクＡを図２及び図３を用いて更に説明する。図２は光ディスクＡの斜視図であり、図３は光ディスクＡの表面図である。図２に示すように、実施の形態１の光ディスクＡは、一方の面に３個の記録層を有する光ディスクである。以下では、３個の記録層を、基板Ａ０に近い方から順に第１記録層Ａ１、第２記録層Ａ２、第３記録層Ａ３と呼ぶ。したがって、表面側の記録層は第３記録層Ａ３である。なお、各記録層は、ＧｅＳｂＴ等の相変化材料や、ＳｉＯ２やＳｉとＣｕ等の無機材料又は色素等の有機材料等により構成されている。
【００２８】
また、図３に示すように、光ディスクＡは、第１記録層Ａ１の内周部にバーストカッティングエリア（以下、「ＢＣＡ」という。）１１と呼ばれる補助情報記録領域を有している。ＢＣＡ１１には、光ディスクの固有情報が記録されている。固有情報は、光ディスクの属性を特定する情報、例えばディスクの外径、方式（ＢＤかＤＶＤか等）、記録層の数、及びメーカ情報等である。また、固有情報は、著作権を保護することを目的とした、光ディスク毎に異なる個別情報を含む。固有情報は、円周方向にバーコード状に記録されている。また、固有情報は、上述した分割条件及び記録条件を含む。固有情報には、光ディスクを確実に認識するための誤り訂正のための情報やヘッダ等も含まれている。固有情報は、光ディスクが完成した後、ＢＣＡカッタや初期化装置と呼ばれる高出力レーザを用いた専用の装置により記録される。なお、ＢＣＡ１１は、基準の記録層に設けられる領域であって、第１記録層Ａ１に設けられるとは限定されない。ＢＣＡ１１は、第１記録層Ａ１、第２記録層Ａ２、及び第３記録層Ａ３の何れかに設けられる。
【００２９】
また、各記録層の複数の位置のそれぞれには、グルーブのウォブルに記録されているプリアドレス等の、基準の位置からの距離に応じた位置情報を示すアドレスが割り当てられている。すなわち、一の記録層の第１の位置に割り当てられている第１のアドレスと第２の位置に割り当てられている第２のアドレスとから算出される第１の距離は、他の記録層の記録層の厚み方向において第１の位置と重なる第３の位置に割り当てられている第３のアドレスと厚み方向において第２の位置と重なる第４の位置に割り当てられている第４のアドレスとから算出される第２の距離と等しい。
【００３０】
次に、実施の形態１の光ディスク装置１００の動作を図４等を用いて説明する。
【００３１】
図４は、実施の形態１の光ディスク装置１００の動作の各ステップを示すフローチャートである。光ディスク装置１００は、光ディスクＡにディジタル情報を記録しようとする場合、記録の前に、複数の記録条件それぞれでの各記録層に対する光の最適パワーを決定する。
【００３２】
そのため、光ディスクＡにディジタル情報を記録する前に、条件取得部２は、光処理部１を介して、光ディスクＡのＢＣＡ１１から、ディスクの種類の情報（ＤＶＤであるのかＢＤであるのか等を特定する情報）、及び記録層の数を特定する情報等を取得するとともに、分割条件及び記録条件を取得してメモリ５に格納する（Ｓ１）。
【００３３】
上述したように、分割条件は分割される領域を情報と、幾つの区分に分割するのかを特定する情報（分割情報）を含む。実施の形態１において分割される領域は、図３に示すＰＣＡ１０である。つまり、実施の形態１において分割される領域は、光ディスクＡの外周部のリング状のテスト領域としてのＰＣＡ１０である。また、実施の形態１における分割情報は、ＰＣＡ１０を円周方向に２４個の区分Ｄ１〜Ｄ２４に等分割させる情報である。その場合、各区分は１５度の角度範囲を持つ。なお、リング状のＰＣＡ１０の位置は、その内周を特定するための第１の半径とその外周を特定するための第２の半径とによって特定されてもよい。
【００３４】
また、実施の形態１では、図５に示すように、１４通りの記録条件が光ディスクＡのＢＣＡに記録されていることを想定する。記録条件の一つを、区分Ｄ１における記録条件を例にとって説明すると、区分Ｄ１では、第１記録層Ａ１、第２記録層Ａ２、及び第３記録層Ａ３の何れにもディジタル情報が記録されていない状態における第１記録層Ａ１について、基本的な記録速度である１倍速で記録を行うときの光処理部１から出力されるレーザ光の最適な記録パワー（以下、「最適記録パワー」という。）を決定させる条件である。「最適記録パワーを決定する」とは、レーザ光のパワーを変化させて対象の記録層に対して試験的に複数のダミー信号を記録したときの複数のダミー信号のうちの、ジッタ、振幅、変調度、及びアシンメトリの組み合わせが最良となるレーザ光のパワーを決定することを意味する。以下の説明では図４を再び用いる。
【００３５】
分割部３は、メモリ５に格納されている分割条件にしたがって、図３に示すように、光ディスクＡを構成する各記録層のＰＣＡ１０を円周方向に２４個の区分に仮想的に等分割し、各区分の位置情報をメモリ５に格納する（Ｓ２）。分割部３は、各記録層のＰＣＡ１０を２４個の区分に仮想的に等分割する際、先ず、光処理部１を介して、ＢＣＡ１１に記録されている固有情報の特定の部分（特定の符号）の位置と、各記録層の複数の位置のそれぞれに割り当てられているアドレスとを検出する。そして、分割部３は、光ディスクＡの中心を中心として特定の符号と、検出したアドレスに対応する位置と、光処理部１のスピンドルモータのＦＧやＰＧから生成される回転位相基準信号とを比較し、光ディスクＡの中心を中心としたときの特定の符号に対する検出したアドレスに対応する位置の相対的な位置を特定し、それにより、各記録層の区分Ｄ１〜区分Ｄ２４それぞれが光ディスクＡの厚み方向において重なるように、各記録層のＰＣＡ１０を円周方向に２４個の区分に仮想的に等分割する。なお、ＢＣＡ１１に記録されている固有情報の特定の部分、すなわち特定の符号は、例えば、ＢＣＡ１１に記録されているバーコードの特定の部位である。また、光ディスクＡの各記録層の複数の位置のそれぞれに割り当てられているアドレスとして、グルーブのウォブルに記録されているプリアドレスを利用することができる。
【００３６】
最適パワー決定部４は、メモリ５に格納されている各区分の位置情報と記録条件とにしたがって、レーザ光を用いて光ディスクＡの各記録層にディジタル情報を記録する場合の複数の記録条件それぞれでの各記録層に対する光の最適パワーを、複数の区分を利用して記録条件毎に決定し、決定した値をメモリ５に格納する（Ｓ３）。
【００３７】
最適パワー決定部４の動作を図５を用いて具体的に説明する。最適パワー決定部４は、区分Ｄ１において、図５に示されている記録条件にしたがって、第１記録層Ａ１、第２記録層Ａ２、及び第３記録層Ａ３の何れにもディジタル情報が記録されていない状態における第１記録層Ａ１について、基本的な記録速度である１倍速で記録を行うときの光処理部１から出力されるレーザ光の最適な記録パワーを決定する。
【００３８】
区分Ｄ２では、最適パワー決定部４は、第１記録層Ａ１、第２記録層Ａ２、及び第３記録層Ａ３の何れにもディジタル情報が記録されていない状態における第２記録層Ａ２について、基本的な記録速度である１倍速で記録を行うときの光処理部１から出力されるレーザ光の最適な記録パワーを決定する。
【００３９】
区分Ｄ３では、最適パワー決定部４は、第１記録層Ａ１、第２記録層Ａ２、及び第３記録層Ａ３の何れにもディジタル情報が記録されていない状態における第３記録層Ａ３について、基本的な記録速度である１倍速で記録を行うときの光処理部１から出力されるレーザ光の最適な記録パワーを決定する。
【００４０】
区分Ｄ４では、最適パワー決定部４は、第１記録層Ａ１、第２記録層Ａ２、及び第３記録層Ａ３の何れにもディジタル情報が記録されていない状態で、区分Ｄ２において決定した最適記録パワーにより第２記録層Ａ２に１倍速でダミーの信号を記録し、その後その状態における第１記録層Ａ１について、１倍速で記録を行うときのレーザ光の最適記録パワーを決定する。つまり、区分Ｄ４では、最適パワー決定部４は、第２記録層Ａ２のみにダミーの信号が記録された状態における第１記録層Ａ１について、１倍速で記録を行うときのレーザ光の最適記録パワーを決定する。
【００４１】
区分Ｄ５では、最適パワー決定部４は、第１記録層Ａ１、第２記録層Ａ２、及び第３記録層Ａ３の何れにもディジタル情報が記録されていない状態で、区分Ｄ３において決定した最適記録パワーにより第３記録層Ａ３に１倍速でダミーの信号を記録し、その後その状態における第１記録層Ａ１について、１倍速で記録を行うときのレーザ光の最適記録パワーを決定する。つまり、区分Ｄ５では、最適パワー決定部４は、第３記録層Ａ３のみにダミーの信号が記録された状態における第１記録層Ａ１について、１倍速で記録を行うときのレーザ光の最適記録パワーを決定する。
【００４２】
区分Ｄ６では、最適パワー決定部４は、第１記録層Ａ１、第２記録層Ａ２、及び第３記録層Ａ３の何れにもディジタル情報が記録されていない状態で、区分Ｄ２において決定した最適記録パワーにより第２記録層Ａ２に１倍速でダミーの信号を記録するとともに、区分Ｄ３において決定した最適記録パワーにより第３記録層Ａ３に１倍速でダミーの信号を記録し、その後その状態における第１記録層Ａ１について、１倍速で記録を行うときのレーザ光の最適記録パワーを決定する。つまり、区分Ｄ６では、最適パワー決定部４は、第２記録層Ａ２及び第３記録層Ａ３にダミーの信号が記録された状態における第１記録層Ａ１について、１倍速で記録を行うときのレーザ光の最適記録パワーを決定する。
【００４３】
区分Ｄ７では、最適パワー決定部４は、第１記録層Ａ１、第２記録層Ａ２、及び第３記録層Ａ３の何れにもディジタル情報が記録されていない状態で、区分Ｄ３において決定した最適記録パワーにより第３記録層Ａ３に１倍速でダミーの信号を記録し、その後その状態における第２記録層Ａ２について、１倍速で記録を行うときのレーザ光の最適記録パワーを決定する。つまり、区分Ｄ７では、最適パワー決定部４は、第３記録層Ａ３のみにダミーの信号が記録された状態における第２記録層Ａ２について、１倍速で記録を行うときのレーザ光の最適記録パワーを決定する。
【００４４】
区分Ｄ８では、最適パワー決定部４は、第１記録層Ａ１、第２記録層Ａ２、及び第３記録層Ａ３の何れにもディジタル情報が記録されていない状態における第１記録層Ａ１について、基本的な記録速度の２倍速で記録を行うときの光処理部１から出力されるレーザ光の最適な記録パワーを決定する。
【００４５】
区分Ｄ９では、最適パワー決定部４は、第１記録層Ａ１、第２記録層Ａ２、及び第３記録層Ａ３の何れにもディジタル情報が記録されていない状態における第２記録層Ａ２について、基本的な記録速度の２倍速で記録を行うときの光処理部１から出力されるレーザ光の最適な記録パワーを決定する。
【００４６】
区分Ｄ１０では、最適パワー決定部４は、第１記録層Ａ１、第２記録層Ａ２、及び第３記録層Ａ３の何れにもディジタル情報が記録されていない状態における第３記録層Ａ３について、基本的な記録速度の２倍速で記録を行うときの光処理部１から出力されるレーザ光の最適な記録パワーを決定する。
【００４７】
区分Ｄ１１では、最適パワー決定部４は、第１記録層Ａ１、第２記録層Ａ２、及び第３記録層Ａ３の何れにもディジタル情報が記録されていない状態で、区分Ｄ２において決定した最適記録パワーにより第２記録層Ａ２に１倍速でダミーの信号を記録し、又は、区分Ｄ９において決定した最適記録パワーにより第２記録層Ａ２に２倍速でダミーの信号を記録し、その後その状態における第１記録層Ａ１について、２倍速で記録を行うときのレーザ光の最適記録パワーを決定する。つまり、区分Ｄ１１では、最適パワー決定部４は、第２記録層Ａ２のみにダミーの信号が記録された状態における第１記録層Ａ１について、２倍速で記録を行うときのレーザ光の最適記録パワーを決定する。
【００４８】
区分Ｄ１２では、最適パワー決定部４は、第１記録層Ａ１、第２記録層Ａ２、及び第３記録層Ａ３の何れにもディジタル情報が記録されていない状態で、区分Ｄ３において決定した最適記録パワーにより第３記録層Ａ３に１倍速でダミーの信号を記録し、又は、区分Ｄ１０において決定した最適記録パワーにより第３記録層Ａ３に２倍速でダミーの信号を記録し、その後その状態における第１記録層Ａ１について、２倍速で記録を行うときのレーザ光の最適記録パワーを決定する。つまり、区分Ｄ１２では、最適パワー決定部４は、第３記録層Ａ３のみにダミーの信号が記録された状態における第１記録層Ａ１について、２倍速で記録を行うときのレーザ光の最適記録パワーを決定する。
【００４９】
区分Ｄ１３では、最適パワー決定部４は、第１記録層Ａ１、第２記録層Ａ２、及び第３記録層Ａ３の何れにもディジタル情報が記録されていない状態で、第２記録層Ａ２にダミーの信号を記録するとともに、第３記録層Ａ３にダミーの信号を記録し、その後その状態における第１記録層Ａ１について、２倍速で記録を行うときのレーザ光の最適記録パワーを決定する。つまり、区分Ｄ１３では、最適パワー決定部４は、第２記録層Ａ２及び第３記録層Ａ３にダミーの信号が記録された状態における第１記録層Ａ１について、２倍速で記録を行うときのレーザ光の最適記録パワーを決定する。第２記録層Ａ２へのダミーの信号の記録は、区分Ｄ２において決定した最適記録パワーにより１倍速で行われてもよいし、区分Ｄ９において決定した最適記録パワーにより２倍速で行われてもよい。
【００５０】
区分Ｄ１４では、最適パワー決定部４は、第１記録層Ａ１、第２記録層Ａ２、及び第３記録層Ａ３の何れにもディジタル情報が記録されていない状態で、区分Ｄ３において決定した最適記録パワーにより第３記録層Ａ３に１倍速でダミーの信号を記録し、又は、区分Ｄ１０において決定した最適記録パワーにより第３記録層Ａ３に２倍速でダミーの信号を記録し、その後その状態における第２記録層Ａ２について、２倍速で記録を行うときのレーザ光の最適記録パワーを決定する。つまり、区分Ｄ１４では、最適パワー決定部４は、第３記録層Ａ３のみにダミーの信号が記録された状態における第２記録層Ａ２について、２倍速で記録を行うときのレーザ光の最適記録パワーを決定する。以下の説明では図４を再び用いる。
【００５１】
データ取得部６は、光ディスクＡに記録されるデータを取得し（Ｓ４）、記録制御部７は、メモリ５に格納されている記録条件毎の光の最適パワーの値にしたがって、データ取得部６によって取得されたデータを光処理部１により光ディスクＡの各記録層に記録させる（Ｓ５）。これにより、ディジタル情報が記録条件毎に最適なパワーのレーザ光により各記録層に記録される。
【００５２】
上述したように、実施の形態１の光ディスク装置１００は、光ディスクＡの各記録層について、各記録層において互いに重なる領域（ＰＣＡ１０）を複数の区分に仮想的に分割し、複数の記録条件それぞれでの各記録層に対する光の最適パワーを、複数の区分を利用して記録条件毎に決定する。各記録層において互いに重なる領域（ＰＣＡ１０）がテスト領域として用いられるので、光ディスクＡの情報記録領域を狭めることなく各記録条件において最適パワーの光により各記録層にディジタル情報を記録することができる。
【００５３】
また、分割部３によって分割されるリング状の領域（ＰＣＡ１０）は、光ディスクＡの外周部に設けられるので、領域が内周部に設けられる場合に比べて、レーザ光の最適パワーを決定するためのテストを行うことができる区分が大きくなり、最適パワー決定部４は、最適パワーを精度よく決定することができる。
【００５４】
なお、実施の形態１では、分割部３によって分割される領域はリング状の領域であると説明したが、領域は円弧状でもよい。領域の形状は限定されない。
【００５５】
また、実施の形態１では、分割部３は、ＢＣＡ１１に記録されている固有情報の特定の部分（特定の符号）の位置と、各記録層の複数の位置のそれぞれに割り当てられているアドレスとを利用して、各記録層のＰＣＡ１０を円周方向に２４個の区分に仮想的に等分割する。しかしながら、分割部３は、何れかの記録層の一の位置を基準とし、その位置に割り当てられているアドレスと、各記録層の複数の位置のそれぞれに割り当てられているアドレスとを利用して、各記録層のＰＣＡ１０を円周方向に複数の区分に仮想的に等分割してもよい。又は、光処理部１が何れかの記録層に基準となる符号を記録し、分割部３は、その符号の位置と、各記録層の複数の位置のそれぞれに割り当てられているアドレスとを利用して、各記録層のＰＣＡ１０を円周方向に複数の区分に仮想的に等分割してもよい。
【００５６】
また、分割条件及び記録条件は、光ディスクＡに記録されておらず、メモリ５に予め格納されていてもよい。
【００５７】
また、記録条件は、図５に示す記録条件に限らず、図６に示す記録条件であってもよい。要するに、記録条件は、レーザ光の最適パワーを決定させるための状況を特定する条件であればよい。図６に示す記録条件については詳しく説明しないが、図５と同様に用いられる。すなわち、区分Ｄ１２では、最適パワー決定部４は、第２記録層Ａ２及び第３記録層Ａ３にダミーの信号が記録された状態における第１記録層Ａ１について、４倍速で記録を行うときのレーザ光の最適記録パワーを決定する。図６における「４倍速」、及び「８倍速」はそれぞれ、記録速度が基準の４倍速であること、８倍速であることをそれぞれ意味する。同じ１回転でも、内周の周期は短く、外周の周期は長い。そのため実際には光ディスクＡを構成するポリカーボネート基板の破壊強度の限界を考慮し、内周で４倍速、外周で８倍速でディジタル情報が記録される。したがって、種々の線速度でレーザ光の最適パワーを決定することは重要である。なお、図６の記録条件において、例えば区分Ｄ１のように、第１記録層Ａ１の欄に「１倍速」と記載され、第２記録層Ａ２の欄に「１倍速」と記載され、第２記録層Ａ２の欄に「１倍速」と記載されている場合、最下層である第１記録層Ａ１から最上層である第３記録層Ａ３の順に、最適パワー決定部４は、各層におけるレーザ光の最適パワーを決定する。
【００５８】
また、上述した実施の形態１では、光ディスクＡは３個の記録層を有するとしたが、光ディスクＡが有する記録層は３個に限定されない。
【００５９】
また、分割部３が利用する光ディスクＡの、各記録層の複数の位置のそれぞれに割り当てられているアドレスは、基準の位置からの距離に応じて決定されるアドレスであって、位置情報を示し、グルーブのウォブルに記録されているプリアドレスを利用することができる。しかしながら、分割部３は、プリアドレスよりも短い間隔で割り当てられているＡＤＩＰ（ADress in Pre-groove）ユニット（例えば、ＢＤでは約０．３っｍの長さ）を、各記録層の複数の位置のそれぞれに割り当てられているアドレスとして用いてもよい。同様に、分割部３は、ＡＤＩＰユニットよりさらに短い間隔で割り当てられているアドレスにより特定されている番地を、各記録層の複数の位置のそれぞれに割り当てられているアドレスとして用いてもよい。
【００６０】
（実施の形態２）
以下に、実施の形態２の光ディスクの製造方法を図７を用いて説明する。
【００６１】
図７は、実施の形態２の光ディスクの製造方法を説明するための図である。実施の形態２の製造方法によって製造される光ディスクは、実施の形態１の分割部３が分割対象領域に対して行う仮想的な分割を容易に行わせることができる光ディスクである。
【００６２】
先ず、直径２００ｍｍ、厚さ５ｍｍの円盤状ガラス基板に対して酸化セリウムを用いて精密に研磨し、その後、ブラシ洗浄及び超純水中の超音波洗浄によって基板を洗浄し、その後乾燥させて、図７（Ａ）に示すように、ガラスマスタ７１を準備する。
【００６３】
次に、ガラスマスタ７１を密着剤ヘキサメチルジシラザン（ＨＭＤＳ）の飽和蒸気中に放置して密着剤を被着させ、フォトレジストをエチルセロソルブアセテート（ＥＣＡ）にて希釈し、スピンナを用いて２５ｎｍの膜厚で塗布し、それを８０℃でベーキングして図７（Ｂ）に示すように、ガラスマスタ７１の上にフォトレジスト７２が設けられたブランクマスタ７３を得る。
【００６４】
次に、図７（Ｃ）に示すように、レーザビーム８１によりブランクマスタ７３の表面を所定の間隔で露光する。次に、０．２規定燐酸水素ナトリウム水溶液でブランクマスタ７３現像し、図７（Ｄ）に示すように、らせん状でウォブルによるプリアドレスを有する案内溝７４を形成する。案内溝７４は、各記録層を積層する際の基準となるマークを形成するために形成される。
【００６５】
例えば、図８に示す装置を用いて、レーザビーム８１によりブランクマスタ７３の表面に対して所定の間隔で露光等を行う。図８は、実施の形態２の光ディスクの製造装置の概観を示す図である。光ディスクの製造装置は、プリアドレス発生器９１と、ウォルブ変換器９２と、位相比較器９３と、ＳＷ９４と、レーザ光源９５と、電気光学偏光器９６と、光変調器９７と、サーボシステム９８と、ブランクマスタ９９と、スピンドルパルス器１１１と、スピンドルモータを含むフィードシステム１１２とを有する装置である。先ず、スピンドルモータにて定線速でブランクマスタ９９を回転させ、波長２６６ｎｍのレーザ光をサーボシステム９８によりブランクマスタ９９にフォーカスサーボをかけて照射する。その光路の途中には電気光学偏光器９６が挿入され、それを用いて振幅約２０ｎｍのウォブルによるプリアドレス情報を有する案内溝に、フィードシステム１１２においてトラックピッチ０．３２μｍの潜像を半径２１ｍｍから５８．５ｍｍまでらせん状に連続的に形成する。その後、位相マークとして引き続き半径６１ｍｍまでにウォブルによるプリアドレス、例えば第１記録層外周エリアの１９５ＡＢ０（ｈ）番地、第２記録層の２６Ａ５５０（ｈ）番地、又は第３記録層外周エリアの５９５ＡＢ０（ｈ）番地等と、スピンドルモータの位相から得られるスピンドルパルスとを比較して特定の角度の位置に光変調器９７を用い１度分の約１．０ｍｍ好ましくは０．５度分の約０．５ｍｍのみをトラックピッチ１μｍで部分的に潜像する。なお位相マークは円周上に１ヶ所ではなく、２ヶ所以上の複数ヶ所に設けてもよい。
【００６６】
次に、フォトレジスト７２の上にスパッタリング法等により、ニッケル等の導電膜（図示せず）を形成し、更にその導電膜を電極として、ニッケルを所定の厚さにメッキし、図７（Ｅ）に示すように、フォトレジスト７２の上にニッケル層７５を形成する。これにより、フォトレジストの凹凸パターンの逆パターンが、ニッケル層７５に写し取られる。
【００６７】
次に、図７（Ｆ）に示すように、ニッケル層７５をガラスマスタ７１より剥離し、レジスト７２を除去し、マスタースタンパ７６を形成する。
【００６８】
その後、マスタースタンパ７６の表面の酸化皮膜を酸素アッシングにより剥離し、マスタースタンパ７６の表面形状と逆の形状を転写するために、図７（Ｇ）に示すように、マザースタンパ７７を形成するためにニッケルめっきを再度行い、その後、裏面を平滑にするため研磨を行う。そして、転写された案内溝を基準にその中心部及び外周部を打ち抜く（図示なし）ことにより、マザースタンパ７７を完成させる。
【００６９】
その後、マザースタンパ７７を金型（図示せず）内にセットして、射出成形法にて金型内にポリカーボネート樹脂を充填し、その後、金型を冷却水によって冷却して金型内のポリカーボネート樹脂を硬化させる。そして、金型からポリカーボネート樹脂層を剥離し、らせん状でウォブルによるプリアドレスを有する案内溝７４をポリカーボネート樹脂層に転写して形成して、図７（Ｈ）に示すように、厚み１．１ｍｍ、直径１２０ｍｍ（半径６０ｍｍ）の光ディスク基板７８を形成する。
【００７０】
その後、光ディスク基板７８に第１記録層としてＡｇ系合金の反射膜を８０ｎｍ、ＧｅＳｂＴｅ記録膜を１２ｎｍの厚さで形成し、その上にＺｎＳ−ＳｉＯ２保護膜を記録膜の上下にスパッタリング法により形成する。記録膜は、色素をスピンコートにより塗布して形成することも可能である。第１記録層を形成する際、光ディスク基板７８の案内溝７４により、外周にマークが形成される。
【００７１】
第１記録層以外の記録層は、各記録層の上に粘度１００ｍＰａ・ｓの紫外線硬化樹脂をスピンコートにより厚み１０から２５μｍの範囲で塗布し、マザースタンパ７７を押しあてて、らせん状でウォブルにおいてプリアドレスを有する案内溝を転写し、紫外線等で硬化させ反射膜、記録膜、保護膜等を形成する。これにより、記録層の外周部に、図９に示すように、マーク８５が形成される。記録層の外周にマークを形成する際、目視又は光学センサ等によりマザースタンパ７７の中心と各記録層の中心とを合せる。
【００７２】
そして、図１０に示すように、各記録層を、外周に形成されたマーク８５が重なるように積層し、光透過カバー層を形成する目的で２Ｐ樹脂をスピンコートにて塗布し、紫外線にて硬化させることによって複数の記録層を有する光ディスクを作成する。図１０は、ポリカーボネート基板８８と、第１記録層８８Ａと、第２記録層８８Ｂと、第３記録層８８Ｃとで形成される光ディスクの分解斜視図である。
【００７３】
各記録層はマザースタンパ７７を用いることにより形成されるので、各記録層の基準の位置から同じ距離の位置に割り当てられるアドレスは等しい。その結果、実施の形態２の製造方法によって製造される光ディスクは、各層がマークを基準として積層された光ディスクであるので、厚み方向に互いに重なる位置に割り当てられる各記録層のアドレスは等しくなる。したがって、実施の形態１の分割部３は、実施の形態２において製造された光ディスクを用いれば、ＰＣＡ１０に対して仮想的な分割を容易に行うことができる。
【００７４】
なお、光ディスクの記録面とは反対側の面は、記録メディアの識別やデザインによる差別化のためレーベル等の印刷などが施される。一般的な２層ディスクの製造の方法については非特許文献２に記載されている。
【００７５】
また、各記録層に形成されるマークは、図１１（Ａ）〜図１１（Ｄ）に示すように、どのような形状であってもよい。なお、マークは、記録層の情報記録領域における溝より深く形成する。例えば、図１１に示すマークは、１０ｎｍから１００ｎｍの深さの溝で形成され、ディジタル情報の記録領域及びＰＣＡ１０より外周の領域である半径５８．５ｍｍから６１ｍｍの領域に形成される。このようにマークを形成することにより、視認性を向上させることができる。
【符号の説明】
【００７６】
１００  光ディスク装置、  １  光処理部１、  ２  条件取得部、  ３  分割部、  ４  最適パワー決定部、  ５  メモリ、  ６  データ取得部、  ７  記録制御部。
【図１】
2010211896.tif 000003
【図２】
2010211896.tif 000004
【図３】
2010211896.tif 000005
【図４】
2010211896.tif 000006
【図５】
2010211896.tif 000007
【図６】
2010211896.tif 000008
【図７】
2010211896.tif 000009
【図８】
2010211896.tif 000010
【図９】
2010211896.tif 000011
【図１０】
2010211896.tif 000012
【図１１】
2010211896.tif 000013
【図１２】
2010211896.tif 000014